(57)【特許請求の範囲】
【請求項１】
塵埃を吸引する吸引手段と、前記吸引手段の前方に配され集塵袋を内包した集塵室と、前記集塵室の上流に配し吸引気流を旋回させて塵埃を分離するサイクロントラップ構成の集塵トラップと、前記集塵トラップ内部に連通する連通管と、前記集塵室と前記連通管とを連通させる連結部とを備え、前記連通管の端部開口部を塵埃の堆積部近傍に設け、前記連通管の側壁には連通開口部と前記連通開口部を開閉する集塵流路切り替え手段を備え、前記集塵流路切り替え手段で前記連通開口部を開口しているときは集塵トラップ内の塵埃は旋回を続け、前記集塵流路切り替え手段で前記連通開口部を閉口すると前記旋回していた塵埃は、前記連通管へ流入し連結部を介して集塵室内の集塵袋内に移送される構成とした電気掃除機。
【請求項２】
集塵トラップの外郭を透明もしくは、半透明とした請求項１記載の電気掃除機。
【請求項３】
集塵トラップに開閉可能な塵埃取り出し用の蓋を設けた請求項１または２記載の電気掃除機。
【発明の詳細な説明】
【０００１】
【発明の属する技術分野】
本発明は、電気掃除機の集塵量の改善と集塵したゴミの視認性の改善に関するものである。
【０００２】
【従来の技術】
従来の電気掃除機は、吸い込み口から流入した塵埃は、延長管・ホースを通過し本体の集塵室内に内包された集塵袋で捕捉する構成をとってきた。そのため、紙屑など比較的体積の大きな塵埃が集塵袋に入ると、集塵袋がすぐ一杯になり、集塵量の割に、集塵容量がとれないという課題があった。また、集塵袋は、細かい塵埃を捕捉するため、目付量が多く、集塵袋内の塵埃を視認することが不可能な点や、集塵室を構成する本体は不透明であるため、どれだけ集塵したのかが分かりにくいという課題があった。また、異物や、意図しないものを吸引した場合、認識が困難で、取り出しづらいなどの課題があった。
【０００３】
本発明は、上記課題を解決し、集塵袋の容積を有効に活用すると共に、使用勝手の良い電気掃除機を提供することを目的とするものである。
【０００４】
【課題を解決するための手段】
上記目的を達成するために本発明は、集塵袋を内包した集塵室に連通すると共に塵埃を捕集する集塵トラップを、前記集塵室の上流に配して、集塵袋に入る前に塵埃を捕捉し、必要に応じて廃棄することにより、集塵袋の集塵容量を有効に活用することができる。
【０００５】
【発明の実施の形態】
本発明の請求項１に記載の発明は、塵埃を吸引する吸引手段と、前記吸引手段の前方に配され集塵袋を内包した集塵室と、前記集塵室の上流に配し吸引気流を旋回させて塵埃を分離するサイクロントラップ構成の集塵トラップと、前記集塵トラップ内部に連通する連通管と、前記集塵室と前記連通管とを連通させる連結部とを備え、前記連通管の端部開口部を塵埃の堆積部近傍に設け、前記連通管の側壁には連通開口部と前記連通開口部を開閉する集塵流路切り替え手段を備え、前記集塵流路切り替え手段で前記連通開口部を開口しているときは集塵トラップ内の塵埃は旋回を続け、前記集塵流路切り替え手段で前記連通開口部を閉口すると前記旋回していた塵埃は、前記連通管へ流入し連結部を介して集塵室内の集塵袋内に移送される構成としたことにより、塵埃が集塵袋に入る前にサイクロントラップ構成の集塵トラップで、吸引された空気を旋回させて塵埃を分離し捕捉する事が可能となり、集塵袋の集塵容量を有効に活用することが可能となると共に、集塵トラップ部でのゴミの蓄積による吸引能力の低下を軽減することができる。また、集塵トラップ内に蓄積された塵埃を、必要に応じて集塵流路切り替え手段を動作させ連通開口部を閉口することで集塵袋内に移送し、集塵袋の利点である、手を汚さずに、塵埃を廃棄することが可能となる。
【０００６】
本発明の請求項２に記載の発明は、集塵トラップの外郭を透明もしくは、半透明にして、集塵量の確認や、異物や、意図しないものを吸引してしまった場合に、使用者が外部より容易に認識する事が可能となる。
【０００７】
本発明の請求項３に記載の発明は、集塵トラップに開閉可能な塵埃取り出し用の蓋を設けるもので、集塵袋に入る前に捕捉された塵埃を、必要に応じて廃棄することが可能となる。
【０００８】
【実施例】
（実施例１）
本発明の第１の実施例を図１を用いて説明する。なお、従来例と同一部分は同一符号を付してその説明を割愛する。
【０００９】
本体１の送風機室２に内包された吸引手段３を有し、吸引手段３の前方に集塵袋４を内包した集塵室５を備え、前記集塵室５の、塵埃流入方向６の上流側に集塵室５に連結部７を介して連結された、集塵容積８を持つ集塵トラップ９を有した物である。
【００１０】
以上の構成の動作を説明する。吸引手段３により、ノズル部（図示せず）から、気流と共に流入した塵埃は、ホース１０を介して集塵トラップ９に流入し、集塵トラップ９内で、気流と分離され、集塵トラップ９に捕捉される。分離された気流は、分離しきれなかった微細な塵埃と共に、集塵トラップ９を通過し、連結部７を介して、集塵室５内に流入し、集塵袋４で微細な塵埃を分離した後、吸引手段３を通過し、本体１の排気孔１１から排出される。
【００１１】
以上の構成により、塵埃が集塵袋４に入る前に集塵トラップ９で捕捉する事が可能となり、集塵袋４の集塵容量を有効に活用する事が可能となる。
【００１２】
また、集塵トラップ９を形成する外郭１２を透明もしくは、半透明に構成することにより、集塵量の確認や、異物や、意図しないものを吸引してしまった場合に、使用者が外部より容易に認識する事が可能となる。
【００１３】
さらに、集塵トラップ９に開閉可能な蓋１３を設ける事により、集塵袋４に入る前に捕捉された塵埃を、必要に応じて廃棄することが可能となり、より集塵袋４の集塵容量を有効に活用する事が可能となる。
【００１４】
なお、集塵トラップ９を、図示されるように、気流を旋回させて塵埃を分離するサイクロントラップ構成にする事により、集塵トラップ９部でのゴミの蓄積による、吸引能力の低下を軽減することができる。
【００１５】
（実施例２）
本発明の第２の実施例を図２を用いて説明する。なお、上記実施例と同一部分は同一符号を付してその説明を割愛する。
【００１６】
図２に示す構成は、サイクロントラップ構成における流路切り替え手段の一例で、集塵室５への連結部７部と集塵トラップ９部を連通する連通管１４は、塵埃の堆積部１５近傍の副連通開口部１６とサイクロントラップ構成の主連通開口部１７で開口している。主連通開口部１７には、開口部を開閉する集塵流路切り替え手段１８を備えている。
【００１７】
以上の構成により、吸引手段３により、ノズル部から、気流と共に流入した塵埃は、ホース１０を介して集塵トラップ９に流入する。そして、図２（ａ）に示すように、主連通開口部１７が開口しているときは、副連通開口部１６を通過する流量が減り、副連通開口部１６近傍の流速が落ちるため、旋回方向に加速された塵埃は、旋回を続ける。
【００１８】
一方、図２（ｂ）に示すように主連通開口部１７が閉口しているときは、副連通開口部１６を通過する流量が増え、副連通開口部１６近傍の流速があがるため、旋回していた塵埃は、副連通開口部１６から連通管１４へ流入し、連結部７を介して、集塵室５内に流入し、集塵袋４で捕捉される。
【００１９】
以上の構成により、集塵トラップ９内に蓄積された塵埃を、必要に応じて、集塵袋４内に移送し、集塵袋４の利点である、手を汚さずに、塵埃を廃棄することが可能となる。
【００２０】
また、集塵流路切り替え手段１８として、サイクロントラップ構成においては、集塵トラップ９に流入部近傍で、流入角度を切り替える構成や、旋回している塵埃に対し障害物で切り替える手段、大気と、集塵トラップ９内をバイパスする構成などがあり、そのほか、集塵トラップ９内と集塵室５内の集塵袋４内をバイパスするようにしても良い。
【００２１】
【発明の効果】
本発明の請求項１記載の発明によれば、塵埃を吸引する吸引手段と、前記吸引手段の前方に配され集塵袋を内包した集塵室と、前記集塵室の上流に配し吸引気流を旋回させて塵埃を分離するサイクロントラップ構成の集塵トラップと、前記集塵トラップ内部に連通する連通管と、前記集塵室と前記連通管とを連通させる連結部とを備え、前記連通管の端部開口部を塵埃の堆積部近傍に設け、前記連通管の側壁には連通開口部と前記連通開口部を開閉する集塵流路切り替え手段を備え、前記集塵流路切り替え手段で前記連通開口部を開口しているときは集塵トラップ内の塵埃は旋回を続け、前記集塵流路切り替え手段で前記連通開口部を閉口すると前記旋回していた塵埃は、前記連通管へ流入し連結部を介して集塵室内の集塵袋内に移送される構成としたことにより、塵埃が集塵袋に入る前にサイクロントラップ構成の集塵トラップで、吸引された空気を旋回させて塵埃を分離し捕捉する事が可能となり、集塵袋の集塵容量を有効に活用することが可能となると共に、集塵トラップ部でのゴミの蓄積による吸引能力の低下を軽減することができる。また、集塵トラップ内に蓄積された塵埃を、必要に応じて集塵流路切り替え手段を動作させ連通開口部を閉口することで集塵袋内に移送し、集塵袋の利点である、手を汚さずに、塵埃を廃棄することが可能となる。
【００２２】
請求項２記載の発明によれば、集塵トラップの外郭を透明もしくは、半透明としたことにより、集塵量の確認や、異物や、意図しないものを吸引してしまった場合に、使用者が外部より容易に認識する事が可能となる。
【００２３】
請求項３記載の発明によれば、集塵トラップに開閉可能な塵埃取り出し用の蓋を設けた事により、集塵袋に入る前に捕捉された塵埃を、必要に応じて廃棄することが可能となる。
【図面の簡単な説明】
【図１】  本発明の第１の実施例を示す電気掃除機本体の断面図
【図２】  （ａ）本発明の第２の実施例を示す電気掃除機本体の断面図
（ｂ）同電気掃除機本体の断面図
【図３】  従来例を示す電気掃除機本体の断面図
【符号の説明】
１    本体
２    送風機室
３    吸引手段
４    集塵袋
５    集塵室
６    塵埃流入方向
７    連結部
８    集塵容積
９    集塵トラップ
１０  ホース
１１  排気孔
１２  外郭
１３  蓋
１４  連通管
１５  堆積部
１６  副連通開口部
１７  主連通開口部
１８  集塵流路切り替え手段
【図１】
0003885454.tif 000002
【図２】
0003885454.tif 000003
【図３】
0003885454.tif 000004